(57)【特許請求の範囲】
【請求項１】
ＡＴＭ端末（現金自動預け払い機）からの指示に応じて出金処理を実行するＡＴＭ限定出金システムであって、
顧客のキャッシュカードと、前記キャッシュカードを使用した出金処理を許容するＡＴＭ端末を示すＡＴＭ条件と、を関連付けて保持する取扱可能ＡＴＭ参照ＤＢ（データベース）と、
前記ＡＴＭ端末から前記キャッシュカードを使用した出金処理に関する出金処理データを受け付ける出金処理データ受付部と、
前記ＡＴＭ端末が前記取扱可能ＡＴＭ参照ＤＢにおいて前記キャッシュカードと関連付けられているＡＴＭ条件に含まれている場合には、前記出金処理データを用いて前記出金処理を実行する出金処理部と、
前記顧客が指定する前記ＡＴＭ条件と、前記顧客のキャッシュカードと、を前記取扱可能ＡＴＭ参照ＤＢに登録する出金条件登録部を備え、
前記顧客のキャッシュカードは、前記顧客の一つの口座に対してキャッシュカード種別ごとに複数存在し、前記出金条件登録部は、前記複数存在するそれぞれのキャッシュカードに対して個別に前記ＡＴＭ条件を関連付け、
前記出金条件登録部は、前記顧客が前記ＡＴＭ条件を指定する際に、前記顧客の一つの口座に対して前記キャッシュカード種別ごとに前記複数存在するそれぞれのキャッシュカードごとの取引履歴から前記顧客が利用する頻度が所定の頻度以上であるＡＴＭ端末を前記顧客に提示する
ＡＴＭ限定出金システム。
【請求項２】
前記出金処理部はさらに、前記ＡＴＭ端末が前記取扱可能ＡＴＭ参照ＤＢに保持されている前記ＡＴＭ条件に含まれていない場合に、前記ＡＴＭ端末において入力を受け付けるパスワードがあらかじめ登録されているパスワードと合致する場合には、前記出金処理データを用いて前記出金処理を実行する
請求項１のＡＴＭ限定出金システム。
【請求項３】
出金処理データ受付部と、出金処理部と、出金条件登録部と、顧客の一つの口座に対してキャッシュカード種別ごとに複数存在するキャッシュカードと前記顧客のキャッシュカードを使用した出金処理を許容するＡＴＭ端末を示すＡＴＭ条件とを個別に関連付けて保持する取扱可能ＡＴＭ参照ＤＢ（データベース）と、を備えるコンピュータシステムが実行するＡＴＭ限定出金方法であって、ＡＴＭ端末からの指示に応じて出金処理を実行するＡＴＭ限定出金方法であり、
前記出金処理データ受付部が、前記ＡＴＭ端末から前記キャッシュカードを使用した出金処理に関する出金処理データを受け付けるステップと、
前記出金処理部が、前記ＡＴＭ端末が、前記取扱可能ＡＴＭ参照ＤＢにおいて前記顧客の一つの口座に対して前記キャッシュカード種別ごとに前記複数存在するそれぞれのキャッシュカードに対して、個別に関連付けられているＡＴＭ条件に含まれている場合には、前記出金処理データを用いて前記出金処理を実行するステップを備え、
さらに、前記出金条件登録部が、前記顧客により指定された前記ＡＴＭ条件と、前記顧客のキャッシュカードと、を前記取扱可能ＡＴＭ参照ＤＢに登録するステップと、
前記出金条件登録部が、前記顧客が前記ＡＴＭ条件を指定する際に、前記顧客の一つの口座に対して前記キャッシュカード種別ごとに前記複数存在するそれぞれのキャッシュカードごとの取引履歴から前記顧客が利用する頻度が所定の頻度以上であるＡＴＭ端末を前記顧客に提示するステップ
を備えるＡＴＭ限定出金方法。
【請求項４】
前記出金処理部はさらに、前記ＡＴＭ端末が前記取扱可能ＡＴＭ参照ＤＢに保持されている前記ＡＴＭ条件に含まれていない場合に、前記ＡＴＭ端末において入力を受け付けるパスワードがあらかじめ登録されているパスワードと合致する場合には、前記出金処理データを用いて前記出金処理を実行するステップ
を備える請求項３のＡＴＭ限定出金方法。
【請求項５】
顧客の一つの口座に対してキャッシュカード種別ごとに複数存在するキャッシュカードと前記キャッシュカードを使用した出金処理を許容するＡＴＭ端末を示すＡＴＭ条件とを個別に関連付けて保持する取扱可能ＡＴＭ参照ＤＢ（データベース）を備えるコンピュータシステムに実行させるプログラムであって、前記コンピュータシステムに、
前記ＡＴＭ端末から前記キャッシュカードを使用した出金処理に関する出金処理データを受け付ける処理ステップと、
前記ＡＴＭ端末が、前記取扱可能ＡＴＭ参照ＤＢにおいて前記顧客の一つの口座に対して前記キャッシュカード種別ごとに前記複数存在するそれぞれのキャッシュカードに対して、個別に関連付けられているＡＴＭ条件に含まれている場合には、前記出金処理データを用いて前記出金処理を実行する処理ステップと、
前記顧客により指定された前記ＡＴＭ条件と、前記顧客のキャッシュカードと、を前記取扱可能ＡＴＭ参照ＤＢに登録するステップと、
前記顧客が前記ＡＴＭ条件を指定する際に、前記顧客の一つの口座に対して前記キャッシュカード種別ごとに前記複数存在するそれぞれのキャッシュカードごとの取引履歴から前記顧客が利用する頻度が所定の頻度以上であるＡＴＭ端末を前記顧客に提示するステップ
を含む処理を実行させるプログラム。
【請求項６】
出金処理部はさらに、前記ＡＴＭ端末が前記取扱可能ＡＴＭ参照ＤＢに保持されている前記ＡＴＭ条件に含まれていない場合に、前記ＡＴＭ端末において入力を受け付けるパスワードがあらかじめ登録されているパスワードと合致する場合には、前記出金処理データを用いて前記出金処理を実行するステップ
を含む処理を実行させる請求項５のプログラム。
【発明の詳細な説明】
【技術分野】
【０００１】
本発明は、銀行ＡＴＭからの出金処理を行う出金システムに関する。
【背景技術】
【０００２】
一般的に、銀行に口座を有する顧客は、キャッシュカードを使用してＡＴＭ（現金自動預け払い機）から簡単に出金を行うことができる。また、口座のキャッシュカードを持っていれば、日本国内の銀行やコンビニエンスストア等に設置されているＡＴＭであれば、いずれのＡＴＭからも出金を行うことができる（例えば、特許文献１）。
【先行技術文献】
【特許文献】
【０００３】
【特許文献１】特開２００４−１２６６３６号公報
【発明の概要】
【発明が解決しようとする課題】
【０００４】
ところで、法人契約のキャッシュカードについては、出金上限金額を設定することができるサービスがある。しかしながら、担当者が業務上、日頃から利用しているＡＴＭ以外のＡＴＭでも出金を行うことができるため、利便性が高い一方で、会社等の組織の金銭を不正に口座から出金する等の内部不正行為を防ぐことは困難であった。また、個人契約・法人契約問わず、キャッシュカードが盗難された場合には、盗難場所から離れたエリアでもＡＴＭから出金することが可能であるため、不正に口座から引き出しが行われる場合があった。また、契約口座から他の口座への振込手続についても、同様の問題があった。
【０００５】
そこで、本発明は、上記課題を解決するために、顧客の口座利用における利便性を維持したまま、よりセキュリティの高い出金システムを提供することを目的とする。
【課題を解決するための手段】
【０００６】
上記課題を解決するために、本発明の一態様は、ＡＴＭ端末（現金自動預け払い機）からの指示に応じて出金処理を実行するＡＴＭ限定出金システムであって、顧客のキャッシュカードと、前記キャッシュカードを使用した出金処理を許容するＡＴＭ端末を示すＡＴＭ条件とを関連付けて保持する取扱可能ＡＴＭ参照ＤＢ（データベース）と、前記ＡＴＭ端末から前記キャッシュカードを使用した出金処理に関する出金処理データを受け付ける出金処理データ受付部と、前記ＡＴＭ端末が前記取扱可能ＡＴＭ参照ＤＢにおいて前記キャッシュカードと関連付けられているＡＴＭ条件に含まれている場合には、前記出金処理データを用いて前記出金処理を実行する出金処理部とを備えるＡＴＭ限定出金システムである。
【０００７】
また、本発明の他の態様は、出金処理データ受付部と、出金処理部と、顧客のキャッシュカードと前記キャッシュカードを使用した出金処理を許容するＡＴＭ端末を示すＡＴＭ条件とを関連付けて保持する取扱可能ＡＴＭ参照ＤＢとを備えるコンピュータシステムが実行するＡＴＭ限定出金方法であって、ＡＴＭ端末（現金自動預け払い機）からの指示に応じて出金処理を実行するＡＴＭ限定出金方法であり、前記出金処理データ受付部が、前記ＡＴＭ端末から前記キャッシュカードを使用した出金処理に関する出金処理データを受け付けるステップと、前記出金処理部が、前記ＡＴＭ端末が前記取扱可能ＡＴＭ参照ＤＢにおいて前記キャッシュカードと関連付けられているＡＴＭ条件に含まれている場合には、前記出金処理データを用いて前記出金処理を実行するステップとを備えるＡＴＭ限定出金方法である。
【０００８】
また、本発明の他の態様は、顧客のキャッシュカードと前記キャッシュカードを使用した出金処理を許容するＡＴＭ端末を示すＡＴＭ条件とを関連付けて保持する取扱可能ＡＴＭ参照ＤＢを備えるコンピュータシステムに実行させるプログラムであって、前記コンピュータシステムに、前記ＡＴＭ端末から前記キャッシュカードを使用した出金処理に関する出金処理データを受け付ける処理ステップと、前記ＡＴＭ端末が前記取扱可能ＡＴＭ参照ＤＢにおいて前記キャッシュカードと関連付けられているＡＴＭ条件に含まれている場合には、前記出金処理データを用いて前記出金処理を実行する処理ステップと、を含む処理を実行させるプログラムである。
【発明の効果】
【０００９】
本発明によれば、顧客の口座利用における利便性を維持したまま、よりセキュリティの高い出金システムを提供することが可能である。
【図面の簡単な説明】
【００１０】
【図１】本発明の一実施形態に係るＡＴＭ限定出金システムが提供するサービスについて示す図である。
【図２】事前登録の際のシステム構成の概要を示す図である。
【図３】ＡＴＭ端末における出金処理の際のシステム構成の概要を示す図である。
【図４】本発明の一実施形態に係るＡＴＭ限定出金方法の具体例を示す図である。
【図５】出金処理データの具体例を示す図である。
【図６】本発明の一実施形態に係るＡＴＭ限定出金システムの全体構成の一例を示す図である。
【図７】本発明の一実施形態に係るＡＴＭ限定出金システムの詳細な構成の一例を示す機能ブロック図である。
【図８】本発明の一実施形態に係るＡＴＭ限定出金システムにおける処理の一例を示すフロー図である。
【発明を実施するための形態】
【００１１】
以下、図面を参照して、本発明の実施形態について説明する。なお、以下の説明において参照する各図では、他の図と同等部分は同一符号によって示される。
【００１２】
（ＡＴＭ限定出金システム）
図１は、本実施形態に係るＡＴＭ限定出金システムが提供するサービスについて示す図である。本実施形態に係るＡＴＭ限定出金システムでは、利用する事前準備として、顧客がＷｅｂ上のインターネットバンキングまたは窓口において、銀行と契約している口座のキャッシュカードに対して出金条件を登録する手続きを行う（ＳＴ１）。
【００１３】
出金条件は、まず、第一には、顧客が出金処理を行うことが可能なＡＴＭ端末を指定する条件を含む。具体的には、ＡＴＭ端末が具体的に特定可能であるように指定されればよく、例えば、ＡＴＭ機番、ＡＴＭ端末を管轄している支店（支店名、支店コード等）、ＡＴＭ端末を設置している都道府県、等により指定できるようになっていてもよい。また、顧客が簡単に指定できるように、銀行があらかじめＡＴＭ端末を適当にグルーピングしたエリア（例えば、首都圏、特定地区（丸の内エリア等）、等）を設定しておき、顧客は出金条件の登録時にエリアを選択することによって、そのエリアに設置されているＡＴＭ端末の全てにおいて出金処理ができるようになっていてもよい。これにより、登録手続きが簡素化され、ユーザの利便に資する。ＡＴＭ端末の指定については、会社周辺や自宅周辺等の顧客が普段からよく利用するキャッシュコーナーや出張所等のＡＴＭ端末を指定したり、仕事上、出張などが多い顧客であれば、日常の活動エリアに加えて、よく行く出張先のエリアを指定すればよい。このように条件を指定することにより、例えば、組織内の不正行為やキャッシュカードの盗難により、顧客が普段はほとんど利用しない地域のＡＴＭ端末で口座から現金が不正に引き出されそうになっても、出金処理が拒否されるため、実質的な被害を防ぐことができる。
【００１４】
次に、顧客がインターネットバンキングや窓口にて登録した出金条件は、例えば、銀行のホスト装置がアクセス可能なデータベース（ＤＢ）であるカード出金条件登録ＤＢ１０に登録される。カード出金条件登録ＤＢ１０の１番目のレコードの例では、登録手続きを行った銀行の支店コード“４３１”の“Ｘ支店”、“普通口座”、口座番号“１２３４５６７”、キャッシュカード種別“本人”のキャッシュカードに対して、出金可能なＡＴＭ端末の条件（ＡＴＭ条件）として、“Ｘ支店管轄内のＡＴＭ端末”であることが登録されている。また、カード出金条件登録ＤＢ１０の２番目および３番目のレコードの例のように、同一口座ではあるが、キャッシュカード種別（本人カード、代理人カード）によって出金条件を個別に設定できるようになっていてもよい。例えば、家族の中でも、会社に勤務している場合と、専業主婦等で自宅周辺での活動が多い場合とでは、出金処理のために利用するＡＴＭ端末の場所は異なると思われるため、それぞれ個別に設定できると顧客の利便に資する。
【００１５】
また、出金可能なＡＴＭ端末を指定することに加えて、さらに、出金限度額を指定できるようになっていてもよい。つまり、出金可能なＡＴＭ端末で出金処理を行っても、出金限度額までしか出金できないようにすることで、キャッシュカードの盗難時等において被害を抑えることが可能となり、よりセキュリティの高い出金システムを顧客に提供することができる。
【００１６】
また、さらには、取引可能日時、期間、時間帯等を指定できるようになっていてもよい。また、振込処理を伴う出金である場合には、振込先を指定できるようになっていてもよい。これらのような条件においても、日常的に顧客が出金処理を行う時間帯や、例えば定期的に振込を行う振込先（ビジネス上の支払いが定期的に発生する取引先、家賃・光熱費の振込先等）が登録されることによって、組織内での不正行為やキャッシュカードの盗難によって不正に出金されたり、顧客の口座から別の口座に預金が振込まれる（移される）ような事態を回避することができる。
【００１７】
図２は、事前登録の際のシステム構成の概要を示す図である。図２の例では、顧客が自身のパソコンや携帯端末等の端末２００からＷｅｂ上のインターネットバンキングにて事前登録している状態を表している。顧客はインターネットバンキングの事前登録のページにアクセスし、事前登録のページでキーボード、マウス、タッチパネル等の入力デバイスを操作して自身のキャッシュカードに対する出金条件を設定する。顧客が設定した内容は、銀行のホスト装置１００がアクセス可能なＤＢであるカード出金条件登録ＤＢ１０に登録される。なお、図１および図２では説明を簡潔化するために、出金条件が１つのＤＢ（カード出金条件登録ＤＢ１０）に登録されるように示されているが、各種の出金条件は複数のＤＢに分散して登録されるようになっていてもよい（具体例については後述する）。なお、ホスト装置１００が登録処理を行う際には、従来、銀行システムに一般的に存在するＤＢであって、全てのＡＴＭ端末の機番が登録されているＤＢである全ＡＴＭ機番ＤＢ２０を参照またはリンクしつつ、出金条件の登録処理を行う。
【００１８】
上記のようにして、顧客のキャッシュカードに対して出金条件の登録処理がなされる。図１に戻り、出金条件の登録がなされているキャッシュカードを用いてＡＴＭ端末で出金処理が行われると（ＳＴ２）、銀行システムのホスト装置では、カード出金条件登録ＤＢ１０を参照し、出金処理の可否を判断する（ＳＴ３）。図３に、ＡＴＭ端末における出金処理の際のシステム構成の概要を示す。
【００１９】
具体的には、まず、ＡＴＭ端末３００にキャッシュカードが挿入されると、カード情報がＡＴＭ出金処理受付ＤＢ３０に送信される。すると、ホスト装置１００は、ＡＴＭ条件が登録されている取扱可能ＡＴＭ参照ＤＢ１１（図２のカード出金条件登録ＤＢ１０の一部）を参照し、挿入されたキャッシュカードがＡＴＭ条件とともに登録されているか判断する。登録されている場合には、出金処理が行われているＡＴＭ端末がＡＴＭ条件を満たすＡＴＭ端末であるか判断する（登録されていない場合には、従来通りの出金処理を実行する）。そして、ＡＴＭ条件を満たすＡＴＭ端末である場合には、次に、ホスト装置１００は、出金上限金額が登録されている出金上限金額参照ＤＢ１２（図２のカード出金条件登録ＤＢ１０の一部）を参照し、挿入されたキャッシュカードが出金上限金額とともに登録されているか判断する。登録されている場合には、ＡＴＭ端末３００で入力された出金金額が、出金限度額（設定されている場合）以下であるか判断する。出金限度額以下であるならば、ホスト装置１００は以下同様に、取引可能日時や時間帯等の他の条件を満たすかどうかについて参照用の各ＤＢを参照して判断する。そして、すべての条件を満たす場合には、ホスト装置１００は出金を許可し、勘定系システム等と連携して口座の出金処理を行い、顧客はＡＴＭ端末にて現金を引き出す（また振込手続を完了する）ことができる（図１：ＳＴ４）。
【００２０】
（具体例）
以下、図４および図５を用いて、本実施形態に係るＡＴＭ限定出金方法の具体例について詳述する。図４に示されるように、本例においては、図２で説明したカード出金条件登録ＤＢ１０に登録されている各条件は、複数のＤＢ１１〜１４に登録されているものとする。
【００２１】
本例では、取扱可能ＡＴＭ参照ＤＢ１１に、ＡＴＭ条件として、「（ＡＴＭ）端末設置銀行＝“Ａ銀行”または“コンビニ”、（ＡＴＭ端末の管轄支店の）支店コード＝“００１〜１００，１２０，１３０，５００〜９９９”」という内容が登録されているものとする。また、出金条件金額参照ＤＢ１２には、「出金限度額＝“１，０００，０００円”」という条件が登録されているものとする。さらに、他の条件として、受付処理日時ＤＢ１３には、出金可能な日時の制限として「出金可能期間＝“２０１２年４月１日〜２０１２年９月３０日”、出金可能時間＝“９：００〜１６：００”」という条件が登録されており、振込先口座取扱条件ＤＢ１４には、振込先の制限として「振込先銀行コード＝“０００９”、振込先口座番号＝“１２３４５６７”」という条件が登録されているものとする（一般的には、銀行等の口座は、銀行コード、支店コード、口座科目、および口座番号の組み合わせにより一意に識別されるが、本例では説明を簡略化するために、振込先銀行コードと振込先口座番号のみ示す）。
【００２２】
以上のような条件の下、例えば、顧客が首都圏内にあるＡ銀行の支店（支店コード：００１）が管轄しているＡＴＭ端末３１０からキャッシュカードを使用して出金処理を行った場合、まず、ＡＴＭ出金処理受付ＤＢ３０において出金処理が受け付けられる。その後、ホスト装置（図示しない）は取扱可能ＡＴＭ参照ＤＢ１１を参照する。取扱可能ＡＴＭ参照ＤＢ１１に支店コード“００１”が登録されているため、ＡＴＭ条件はクリアし、その後、出金上限金額参照ＤＢ１２、受付処理日時ＤＢ１３、および振込先口座取扱条件ＤＢ１４に登録されている各条件をクリアすれば、出金処理が実行される。
【００２３】
一方、例えば、顧客のキャッシカードが盗難され、その窃盗犯が関西のＡ銀行の支店（支店コード：２２２）が管轄しているＡＴＭ端末３２０で盗んだキャッシュカードを使用して現金を引き出そうとしても、取扱可能ＡＴＭ参照ＤＢ１１には支店コード“２２２”は登録されていないため、出金処理は拒否される。
【００２４】
さらに、図５に具体例を示す。図４に示される出金条件が登録されている場合に、例えば、図５のような出金処理データ５１〜５４がＡＴＭ出金処理受付ＤＢ３０で受け付けられたとする。この時、データ５１の支店コード“００１”は取扱可能ＡＴＭ参照ＤＢ１１に登録されており、金額“５０，０００円”も出金上限金額参照ＤＢ１２に登録されている出金限度額よりも小さい金額である。さらに、（手続の）年月日および時間、振込先（口座番号）ともに、それぞれ、受付処理日時ＤＢ１３、振込先口座取扱条件ＤＢ１４に登録された出金可能期間・時間、振込先（銀行コード、口座番号）に合致するため、正常に出金処理がなされる。
【００２５】
しかしながら、データ５２については、支店コードが“２２２”であり取扱可能ＡＴＭ参照ＤＢ１１に登録されていないため、出金処理は拒否される。また、データ５３については、支店コード、手続年月日・時間は出金条件に合致するものの、金額“２，０００，０００”は出金上限金額参照ＤＢ１２に登録されている出金限度額よりも大きい額であるため、出金処理が拒否される。また、データ５４については、支店コード、手続年月日は出金条件に合致するものの、手続時間が受付処理日時ＤＢ１３に登録されている時間から外れており、さらに振込先も振込先口座取扱条件ＤＢ１４に登録されている振込先の条件に合致しない。よって、データ５４の出金処理は拒否される。
【００２６】
このように、事前に出金処理が可能なＡＴＭ端末を登録しておくことで、法人契約のキャッシュカードを使用して組織の金銭を不正に引き出すことや、窃盗犯が盗んだキャッシュカードで口座から金銭を引き出すことが困難になるため、銀行は顧客に対してよりセキュリティの高いサービスを提供することができる。また、本実施形態のＡＴＭ限定出金システムによれば、ＡＴＭ端末の指定に加えて、出金限度額が指定可能であるので、仮に不正に出金処理を行おうとしたＡＴＭ端末がたまたま事前登録されている端末であっても、引き出すことのできる金額は限られるため、被害を抑えることができる。また、本実施形態のＡＴＭ限定出金システムによれば、さらに、出金可能な期間や時間帯、振込手続の際の振込先の制限を行うこともできるため、不正な出金処理に対するセキュリティをより高めることができる。
【００２７】
（ＡＴＭ限定出金システムの構成）
図６は、本実施形態に係るＡＴＭ限定出金システムの全体構成の一例を示す図である。図６に示されるＡＴＭ限定出金システム１は、ホスト装置１００を備え、ホスト装置１００は、１つまたは複数のＡＴＭサーバ４００ａ、４００ｂに接続され、これらのＡＴＭサーバを（加えて、ＡＴＭサーバに属するＡＴＭ端末を直接または間接的に）制御する。また、ＡＴＭ限定出金システム１は、図示しない勘定系システムと接続される。また、ＡＴＭ限定出金システム１は、インターネットバンキングのためのＥＢホスト装置と、このＥＢホスト装置とインターネットを介して接続される顧客のパソコンや携帯端末等を備えていてもよい。
【００２８】
ＡＴＭサーバ４００ａ、４００ｂは、複数のＡＴＭ端末とネットワーク接続され、自身に属しているＡＴＭ端末を制御することができる。
【００２９】
ホスト装置１００およびＡＴＭサーバ４００ａ、４００ｂは、自身が属する銀行の全ＡＴＭ機番ＤＢ２０、顧客管理ＤＢ４０、ＡＴＭ出金処理受付ＤＢ３０にアクセスし、情報の取得、格納、検索等の処理を行うことができる。さらに、ホスト装置１００は、取扱可能ＡＴＭ参照ＤＢ１１、出金上限金額参照ＤＢ１２、受付処理日時ＤＢ１３、振込先口座取扱条件ＤＢ１４にアクセスし、情報の取得、格納、検索等の処理を行うことができる。
【００３０】
全ＡＴＭ機番ＤＢ２０は、各ＡＴＭ端末に予め付与されている端末番号を示す端末機番、および各ＡＴＭ端末が属する支店を示す店番などの、各ＡＴＭ端末に関連する情報を格納するデータベースである。店番に基づいて、各ＡＴＭ端末が銀行のどの支店に属しているかを特定することが可能であり、端末機番に基づいて、各ＡＴＭ端末が、記帳店番によって特定された支店が管轄するＡＴＭ端末のうちのいずれの端末であるかを特定することが可能である。
【００３１】
顧客管理ＤＢ４０にはホスト装置１００が属する銀行の顧客を認証するための認証情報や、各顧客の氏名等、住所、電話番号、および口座番号等の口座情報を含む顧客情報が格納されている。例えば、顧客が現金を引き出すためにＡＴＭ端末にキャッシュカードを挿入して暗証番号を入力すると、挿入されたキャッシュカードの情報および暗証番号と、顧客管理ＤＢ４０に格納されている認証情報とを照合することにより、顧客の本人認証を行うことができる。
【００３２】
ＡＴＭ出金処理受付ＤＢ３０は、ＡＴＭ端末から出金処理に関するデータ（出金金額、振込金額、振込先口座番号、等）が送信されてくると、これらのデータを受け付けるためのデータベースである。
【００３３】
また、前述したように、ＡＴＭ限定出金システム１は、顧客がシステムを利用する前に登録した出金条件を、取扱可能ＡＴＭ参照ＤＢ１１、出金上限金額参照ＤＢ１２、受付処理日時ＤＢ１３、振込先口座取扱条件ＤＢ１４の各ＤＢに記憶して保持する。
【００３４】
なお、上記した取扱可能ＡＴＭ参照ＤＢ１１、出金上限金額参照ＤＢ１２、受付処理日時ＤＢ１３、振込先口座取扱条件ＤＢ１４は、出金条件を記憶するためのＤＢの実装例であり、これらの形態に限定されるものではない。例えば、これらのＤＢが１つのＤＢによって構成されていてもよいし、他のＤＢのデータとともに１つのＤＢとなっていてもよい。
【００３５】
（機能ブロック図）
図７は、本実施形態に係るＡＴＭ限定出金システムの詳細な構成の一例を示す機能ブロック図である。ＡＴＭ限定出金システム１は、出金処理データ受付部１０２、出金処理部１０４、出金条件登録部１０６、取扱可能ＡＴＭ参照ＤＢ１１、出金上限金額参照ＤＢ１２、受付処理日時ＤＢ１３、および振込先口座取扱条件ＤＢ１４を備える。なお、図７においては、簡略化のため、全ＡＴＭ機番ＤＢ２０、ＡＴＭ出金処理受付ＤＢ３０、顧客管理ＤＢ４０は省略されている。
【００３６】
出金処理データ受付部１０２は、ＡＴＭ端末からキャッシュカードを使用した出金処理に関する出金処理データを受け付ける。そして、出金処理部１０４は、ＡＴＭ端末が取扱可能ＡＴＭ参照ＤＢ１１に保持されているＡＴＭ条件に含まれている場合には、出金処理データを用いて出金処理を実行する。また、出金処理部１０４は、出金上限金額参照ＤＢ１２、受付処理日時ＤＢ１３、振込先口座取扱条件ＤＢ１４に、ＡＴＭ端末が受け付けたキャッシュカードに対する出金限度額、出金可能日時、振込先口座に関する条件がそれぞれ登録されている場合には、各条件をクリアする場合のみ出金処理を実行する。また、例えば、各条件をクリアできなかった場合であっても、ＡＴＭ端末の操作者があらかじめ銀行システムに登録されている特別なパスワードを正しく入力できた場合には、出金処理を実行するようになっていてもよい。これにより、例えば、正規の顧客が外出先の事前登録していないＡＴＭ端末にて急ぎ現金を引き出したい場合等、緊急時にも対応することができる。
【００３７】
出金条件登録部１０６は、顧客が、ＡＴＭ限定出金システム１が提供するサービスを受けるための出金条件の事前登録を行う。銀行の窓口やインターネットバンキングにおいて顧客が指定するＡＴＭ条件と、顧客のキャッシュカードとを取扱可能ＡＴＭ参照ＤＢ１１、出金上限金額参照ＤＢ１２、受付処理日時ＤＢ１３、および振込先口座取扱条件ＤＢ１４に登録する。また、顧客が銀行の窓口やインターネットバンキングにおいて事前登録を行う際、その顧客（キャッシュカード）の過去の取引履歴において利用頻度の高かったＡＴＭ端末や、そのＡＴＭ端末が設置されている支店・場所（エリア）を、銀行側からお勧めするようになっていてもよい。これにより、顧客は容易に事前登録を行うことができるとともに、登録のし忘れを防ぐことができるため、顧客の利便に資する。
【００３８】
上記説明した本実施形態に係るＡＴＭ限定出金システムは、図示しないＣＰＵ（Central Processing Unit）、ＲＯＭ（Read Only Memory）やＲＡＭ（Random Access Memory）等のメモリ、ハードディスク等の記憶装置、ネットワークインターフェイス等の一般的なコンピュータ装置の構成と同様の構成により実現することが可能である。具体的には、例えば、上述した、出金処理データ受付部１０２、出金処理部１０４、出金条件登録部１０６の処理を実行するプログラムがハードディスク等の記憶装置に記憶されており、ＣＰＵは、これらのプログラムおよび各処理に必要なデータをメモリや記憶装置からＲＡＭ等のワーク領域に読み出して実行することにより、もしくは、例えば、ＦＰＧＡ（Field Programmable Gate Array）においてシーケンサロジックをカスタム設計すること等によって、本実施形態に係る出金処理が実行されうる。
【００３９】
（ＡＴＭ限定出金システムの処理フロー）
図８は、本実施形態に係るＡＴＭ限定出金システムにおける処理の一例を示すフロー図である。なお、図８に示されるフロー図は、出金条件はすでに登録されている状態にて、出金処理が行われる際のＡＴＭ限定出金システムでの処理を示すフロー図である。
【００４０】
ＡＴＭ端末３００にキャッシュカードが挿入されて暗証番号が入力されると、キャッシュカードから読み出される情報および入力された暗証番号と、顧客管理ＤＢ４０に格納されている認証情報とを照合して本人認証を行う（ステップＳ１０２）。本人認証が正常に終了すると、ＡＴＭ出金処理受付ＤＢ３０は、ＡＴＭ端末３００において入力される出金金額（振込金額）や、出金処理が特定の口座への振込処理である場合には、振込先口座を特定するための銀行名、支店名、普通口座または当座口座の指定、口座番号等の出金処理データを受け付ける（ステップＳ１０４）。
【００４１】
次に、ホスト装置１００は、キャッシュカードが挿入されたＡＴＭ端末３００を特定する店番および端末機番を、ＡＴＭサーバ４００を介して取得する。そして、取得した店番および端末機番によって特定されるＡＴＭ端末３００が取扱可能ＡＴＭ参照ＤＢ１１に登録されているか判断する。この際、必要に応じて、全ＡＴＭ機番ＤＢ２０を参照して判断する（ステップＳ１０６）。キャッシュカードが挿入されたＡＴＭ端末３００が取扱可能ＡＴＭ参照ＤＢ１１に登録されていない場合には（ステップＳ１０６：Ｎｏ）、ＡＴＭ端末３００の画面に“取扱不可”等のメッセージを表示する等して、ＡＴＭ端末３００の操作者に出金できない旨を通知して処理を終了する。
【００４２】
キャッシュカードが挿入されたＡＴＭ端末３００が取扱可能ＡＴＭ参照ＤＢ１１に登録されている場合には（ステップＳ１０６：Ｙｅｓ）、出金処理データに含まれる出金金額（振込金額）が出金上限金額参照ＤＢ１２に登録されている出金限度額以下であるか判断する(ステップＳ１０８)。出金金額（振込金額）が出金上限金額参照ＤＢ１２に登録されている出金限度額より大きい場合には（ステップＳ１０８：Ｎｏ）、ＡＴＭ端末３００の画面に“取扱不可”等のメッセージを表示する等して処理を終了する。
【００４３】
出金金額（振込金額）が出金上限金額参照ＤＢ１２に登録されている出金限度額以下である場合には（ステップＳ１０８：Ｙｅｓ）、ＡＴＭ３００からの出金処理を受け付けた際の受付日時が、受付処理日時ＤＢ１３に登録されている出金可能日時であるか判断する(ステップＳ１１０)。受付日時が受付処理日時ＤＢ１３に登録されている出金可能日時ではない場合には（ステップＳ１１０：Ｎｏ）、ＡＴＭ端末３００の画面に“取扱不可”等のメッセージを表示する等して処理を終了する。
【００４４】
受付日時が受付処理日時ＤＢ１３に登録されている出金可能日時である場合には（ステップＳ１１０：Ｙｅｓ）、出金処理データに含まれる振込先口座が、振込先口座取扱条件ＤＢ１４に登録されている振込可能口座であるか判断する(ステップＳ１１２)。振込先口座が振込先口座取扱条件ＤＢ１４に登録されている取扱可能口座ではない場合には（ステップＳ１１２：Ｎｏ）、ＡＴＭ端末３００の画面に“取扱不可”等のメッセージを表示する等して処理を終了する。
【００４５】
振込先口座が振込先口座取扱条件ＤＢ１４に登録されている取扱可能口座である場合には（ステップＳ１１２：Ｙｅｓ）、出金処理を実行して（ステップＳ１１４）、処理が終了する。
【００４６】
なお、上記のステップＳ１０８、ステップＳ１１０、ステップＳ１１２の処理は、出金上限金額参照ＤＢ１２、受付処理日時ＤＢ１３、および振込先口座取扱条件ＤＢ１４にキャッシュカードに対する条件が登録されていない場合や、出金処理が振込処理ではない場合には、スキップされる。
【００４７】
（まとめ）
ここまで、本発明の一実施形態について説明したが、本発明は上述の実施形態に限定されず、その技術的思想の範囲内において種々異なる形態にて実施されてよいことは言うまでもない。
【００４８】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００４９】
１      ＡＴＭ限定出金システム
１０    カード出金条件登録ＤＢ
１１    取扱可能ＡＴＭ参照ＤＢ
１２    出金上限金額参照ＤＢ
１３    受付処理時間ＤＢ
１４    振込先口座取扱条件ＤＢ
２０    全ＡＴＭ機番ＤＢ
３０    ＡＴＭ出金処理受付ＤＢ
４０    顧客管理ＤＢ
１００  ホスト装置
２００  顧客のパソコン等
３００  ＡＴＭ端末
４００  ＡＴＭサーバ
１０２  出金処理データ受付部
１０４  出金処理部
１０６  出金条件登録部
【図１】
0005555758.tif 000002
【図２】
0005555758.tif 000003
【図３】
0005555758.tif 000004
【図４】
0005555758.tif 000005
【図５】
0005555758.tif 000006
【図６】
0005555758.tif 000007
【図７】
0005555758.tif 000008
【図８】
0005555758.tif 000009